(57)【要約】【課題】医用画像診断システムにおいて、撮像装置を用いた診療行為を、診療行為単位で適正に実行すること。【解決手段】医用画像診断システム１０は、患者に関する医用画像を生成するＸ線画像診断装置１１と、このＸ線画像診断装置１１を用いて診療行為を実行する実行操作端末１２と、この実行操作端末を操作する実行操作者を限定実行権限ユーザとして認証するユーザ認証制御手段１４と、限定実行権限ユーザによって実行操作端末１２が操作されることでＸ線画像診断装置１１を用いた所要の診療行為を実行する際、所要の診療行為に関する実行を認証する実行認証制御手段１６とを備え、ユーザ認証制御手段１４でされた限定実行権限ユーザがＸ線画像診断装置１１を用いて所要の診療行為を実行する際、実行認証制御手段１６に所要の診療行為に関する実行認証が要求され、実行認証制御手段１６で所要の診療行為に関する実行が認証される。【選択図】  図１
2006254957.tif 000002
【特許請求の範囲】
【請求項１】
患者に関する医用画像を生成する撮像装置と、
前記撮像装置を用いて診療行為を実行するコンピュータとしての実行操作端末と、
前記実行操作端末を操作する実行操作者を、特定の診療行為のみを実行できる限定実行権限ユーザとして認証するユーザ認証制御手段と、
前記限定実行権限ユーザによって前記実行操作端末が操作されることで前記撮像装置を用いた所要の診療行為を実行する際、前記所要の診療行為に関する実行を認証する実行認証制御手段とを備えたことを特徴とする医用画像診断システム。
【請求項２】
前記撮像装置を用いて実行することができる診療行為と、この診療行為の実行権限による分類と、前記診療行為の許可付与条件とをそれぞれ対応させて設定・管理するデータベースを備え、前記実行認証制御手段に、前記所要の診療行為に該当する診療行為を前記データベースから検索し、検索された前記データベース中の診療行為に対応する分類によって、前記限定実行権限ユーザに実行認証を与えるか否かを判断させることを特徴とする請求項１に記載の医用画像診断システム。
【請求項３】
前記所要の診療行為に該当する診療行為を前記データベースから検索し、検索された前記データベース中の診療行為に対応する分類によって、前記所要の診療行為に関して所定の権限を有する許可付与権限ユーザによる実行許可が必要であると前記実行認証制御手段が判断した場合、前記許可付与権限ユーザが前記所要の診療行為に対して実行の許可を付与するコンピュータとしての許可付与操作端末を備えたことを特徴とする請求項２に記載の医用画像診断システム。
【請求項４】
前記所要の診療行為に関しては前記許可付与権限ユーザによる実行許可が必要であると前記実行認証制御手段が判断した場合、前記許可付与操作端末に実行許可が要求されている旨を出力させることを特徴とする請求項３に記載の医用画像診断システム。
【請求項５】
前記実行許可が要求されている旨の出力を、前記許可付与操作端末の画面上への表示及び前記許可付与操作端末からの音声のうちいずれかとしたことを特徴とする請求項４に記載の医用画像診断システム。
【請求項６】
前記許可付与操作端末の画面上に、実行許可を要求している前記所要の診療行為、その許可付与条件、前記実行操作端末及び前記限定実行権限ユーザのユーザ名のうち少なくとも１つを表示させることを特徴とする請求項４に記載の医用画像診断システム。
【請求項７】
前記許可付与操作端末の画面上に、実行許可を要求している前記所要の診療行為の許可付与条件としての許可付与可能時間又は実行キャンセル可能時間を、カウントダウン時間として表示させることを特徴とする請求項４に記載の医用画像診断システム。
【請求項８】
前記許可付与操作端末を複数備えたことを特徴とする請求項３に記載の医用画像診断システム。
【請求項９】
患者に関する医用画像を生成する撮像装置を用いた診療行為を実行する実行操作者が、特定の診療行為のみを実行できる限定実行権限ユーザとして認証されるユーザ認証工程と、
前記所要の診療行為に関する実行認証が要求される実行認証要求工程と、
前記撮像装置を用いた所要の診療行為が前記限定実行権限ユーザによって実行される際、前記所要の診療行為に関する実行が認証される実行認証工程とを有することを特徴とする医用画像診断方法。
【請求項１０】
前記撮像装置を用いて実行できる診療行為と、この診療行為の実行権限による分類と、前記診療行為の許可付与条件とがそれぞれ対応されて予めデータベースとして設定・管理される設定・管理工程を有し、前記実行認証工程では、前記所要の診療行為に該当する診療行為が前記データベースから検索され、検索された前記データベース中の診療行為に対応する分類によって、前記限定実行権限ユーザに実行認証が与えられるか否かが判断されることを特徴とする請求項９に記載の医用画像診断方法。
【請求項１１】
前記診療行為の実行権限による分類によって前記診療行為を低度診療行為と高度診療行為との２段階に分類し、前記実行認証工程で前記所要の診療行為が前記低度診療行為であると判断された場合、前記限定実行権限ユーザに前記所要の診療行為の実行認証が与えられることを特徴とする請求項１０に記載の医用画像診断方法。
【請求項１２】
前記診療行為の許可付与条件として、前記許可付与権限ユーザの区分及び許可付与可能時間を少なくとも有することを特徴とする請求項１０に記載の医用画像診断方法。
【請求項１３】
前記診療行為の許可付与条件として、前記許可付与権限ユーザ及び実行キャンセル可能時間を少なくとも有することを特徴とする請求項１０に記載の医用画像診断方法。
【請求項１４】
前記実行認証工程では、前記所要の診療行為に該当する診療行為が前記データベースから検索され、検索された前記データベース中の診療行為に対応する分類によって、前記所要の診療行為に関して所定の権限を有する許可付与権限ユーザによる実行許可が必要であると判断された場合、前記所要の診療行為に対して前記許可付与権限ユーザによる実行許可が付与されて初めて、前記所要の診療行為に対して実行の認証が与えられることを特徴とする請求項９に記載の医用画像診断方法。
【発明の詳細な説明】
【技術分野】
【０００１】
本発明は、モダリティ（撮像装置）を用いて診療行為を実行して医用画像を生成する技術に係り、特に、モダリティを用いて実行できる診療行為毎にその実行を適正に行なう医用画像診断システム及びその診断方法に関する。
【背景技術】
【０００２】
医用画像診断システムには、診療行為を実行して医用画像を生成するモダリティ、例えばＸ線画像診断装置、このＸ線画像診断装置を動作させる端末装置及びＸ線画像診断装置を操作して診療行為を実行する実行操作者を認証するユーザ認証制御装置等が備えられ、認証された実行操作者は端末装置を操作して、Ｘ線画像診断装置を用いた画像閲覧、寝台・アームの移動、Ｘ線の照射及び患者への造影剤の投入等の診療行為を実行している。
【０００３】
また、医用画像診断システムを用いた診療行為を実行するユーザを制限したり、特定したりする装置がある（例えば、特許文献１参照。）。この装置では、端末装置を用いて一人のユーザを認証することで、認証されたユーザによる医用画像診断システムを用いた診療行為を実行することができる。
【特許文献１】特開２００４−８９３１２号公報
【発明の開示】
【発明が解決しようとする課題】
【０００４】
医用画像診断システムを有する医療機関には多くのユーザ（医師や技師等）が従事しているが、医師や技師等の中にもある種の装置を用いた診療行為の実行に不慣れな医師及び技師等がいたり、医師の中には研修医がいたりして診療技術等に能力差がある。しかしながら、従来の医用画像診断システムでは、医師や技師という単位で装置の実行権限を付与する場合が多く、必ずしも個々の能力に対応した診療行為の実行権限が与えられていなかった。よって、診療技術に乏しいユーザによるデータの誤入力誤診、患者の取り違い及び装置の操作ミス等があった。
【０００５】
また、従来の医用画像診断システムでは、装置単位でその診療行為の実行権限が付与されており、必ずしも個々の能力に対応するものではなかった。
【０００６】
本発明は、上述した事情を考慮してなされたもので、撮像装置を用いた診療行為を、診療行為単位で適正に実行することができる医用画像診断システム及びその診断方法を提供することを目的とする。
【課題を解決するための手段】
【０００７】
本発明に係る医用画像診断システムは、上述した課題を解決するために、患者に関する医用画像を生成する撮像装置と、前記撮像装置を用いて診療行為を実行するコンピュータとしての実行操作端末と、前記実行操作端末を操作する実行操作者を、特定の診療行為のみを実行できる限定実行権限ユーザとして認証するユーザ認証制御手段と、前記実行操作端末を操作して前記限定実行権限ユーザが前記撮像装置を用いた所要の診療行為を実行する際、前記所要の診療行為に関する実行を認証する実行認証制御手段とを備えた。
【０００８】
本発明に係る医用画像診断方法は、上述した課題を解決するために、患者に関する医用画像を生成する撮像装置を用いた診療行為を実行する実行操作者が、特定の診療行為のみを実行できる限定実行権限ユーザとして認証されるユーザ認証工程と、前記所要の診療行為に関する実行認証が要求される実行認証要求工程と、前記限定実行権限ユーザによって前記実行操作端末が操作されることで前記撮像装置を用いた所要の診療行為を実行する際、前記所要の診療行為に関する実行が認証される実行認証工程とを有する。
【発明の効果】
【０００９】
本発明に係る医用画像診断システム及びその診断方法によると、撮像装置を用いた診療行為を、診療行為単位で適正に実行することができる。
【発明を実施するための最良の形態】
【００１０】
本発明に係る医用画像診断システム及びその診断方法の実施の形態について、添付図面を参照して説明する。
【００１１】
図１は、本発明に係る医用画像診断システムの実施の形態を示すブロック図である。
【００１２】
図１は、医用画像診断システム１０を示し、この医用画像診断システム１０は、予め、モダリティ（撮像装置）を用いて実行される各種診療行為をその実行権限によって数段階、例えば比較的操作の容易な低度診療行為と比較的操作の困難な高度診療行為との２段階、に分類するようにし、モダリティを用いて所要の診療行為を実行する際、低度診療行為についてのみ実行権限を有する限定実行権限ユーザが高度診療行為を実行したい場合、その実行に所定の権限を有する許可付与権限ユーザによる許可が与えられて初めて限定実行権限ユーザが高度診療行為を実行できるように構成したものである。ここで、低度診療行為としては、患者の取り違いや、誤診の恐れ、患者への侵襲がないとされる画像閲覧及び寝台・アームの移動等が挙げられる。一方、高度診療行為としては、患者の安全等に係わり実行の適正が重要視されるＸ線の照射や患者への造影剤の投入等が挙げられる。以下、モダリティを用いて実行操作者が実行する診療行為を、その実行権限によって２段階に分類した場合について説明するが、特に２段階に限定されるものではない。
【００１３】
医用画像診断システム１０には、患者（被検体）に関する医用画像を生成するモダリティ、例えばＸ線画像診断装置１１、実行操作端末１２、許可付与操作端末１３、ユーザ認証制御手段１４、診療行為／分類／許可付与条件ＤＢ（Data base）１５及び実行認証制御手段１６が備えられ、それらは、ネットワークとしてのＬＡＮ（Local Area Network）Ｎを介して通信可能に接続される。なお、医用画像診断システム１０の構成は図１に限定されるものではなく、例えば、実行操作端末１２、許可付与操作端末１３、ユーザ認証制御手段１４、診療行為／分類／許可付与条件ＤＢ１５及び実行認証制御手段１６がＸ線画像診断装置１１の構成要素として含まれている構成でもよい。その場合、各端末及び手段は、ＰＣＩバス、ＳＣＳＩ及びＵＳＢその他の電気的な通信手段にて接続される。また、モダリティはＸ線画像診断装置１１に限定されるものではなく、例えば、ＣＴ（Computed Tomography）、ＭＲ（Magnetic Resonance）、ＣＲ（Computed Radiography）及びＤＲ（Digital Radiography）等でも構わない。
【００１４】
Ｘ線画像診断装置１１は、実行操作者によって実行操作端末１２が操作されることで、その操作に従って動作する。つまり、Ｘ線画像診断装置１１及び実行操作端末１２によって、実行操作者がＸ線画像診断装置１１を用いた診療行為を実行することで、患者に関する医用画像を生成する。各種診療行為がその実行権限によって２段階に分類されると、Ｘ線画像診断装置１１を用いた診療行為は、実行操作端末１２によるユーザ認証（ログイン）のみで実行可能な低度診療行為と、実行操作端末１２によるユーザ認証のみでは実行不可能な高度診療行為とに分類される。なお、ユーザ認証は、パスワード（パスフレーズ）認証、カード認証、指紋認証、虹彩認証及び声紋認証その他の一般的な認証によるものとする。
【００１５】
実行操作端末１２は、コンピュータを内蔵し、Ｘ線画像診断装置１１を用いた診療行為を実行するために実行操作者が操作するものである。実行操作者は、実行操作端末１２を操作してユーザ認証の要求を行ないユーザ認証制御手段１４によって認証されれば、特定の診療行為のみを実行できる限定実行権限ユーザとして認証される。限定実行権限ユーザは、Ｘ線画像診断装置１１を用いて所要の診療行為の実行したい場合、実行操作端末１２を操作して所要の診療行為に関する実行認証を実行認証制御手段１６に要求する。この実行認証制御手段１６によって実行認証されれば、限定実行権限ユーザは、実行操作端末１２を操作してＸ線画像診断装置１１を用いた所要の診療行為を実行することができる。診療行為を実行する操作は、実行操作端末１２に具備する物理的なスイッチやボタン又はＧＵＩ（Graphical User Interface）上のボタン等によって行なわれる。
【００１６】
許可付与操作端末１３は、コンピュータを内蔵し、許可付与操作者が操作するものである。許可付与操作者は、許可付与操作端末１３を操作してユーザ認証の要求を行ないユーザ認証制御手段１４によって認証されれば、所定の権限（限定実行権限ユーザによって実行認証を要求された高度診療行為に対して実行の許可を付与することができる権限）を有する許可付与権限ユーザとして認証される。
【００１７】
ユーザ認証制御手段１４は、実行操作端末１２からのユーザ認証の要求に対して認証を行なうか否かの判断を行なう。ユーザ認証の要求を受けると、ユーザ認証制御手段１４は、実行操作者がＸ線画像診断装置１１を用いた低度診療行為を実行する権限を有しているかを判断し、実行操作者が低度診療行為を実行する権限を有していると判断した場合、実行操作者を限定実行権限ユーザとして認証する。
【００１８】
また、ユーザ認証制御手段１４は、許可付与操作端末１３からのユーザ認証の要求に対して認証を行なうか否かの判断を行なう。ユーザ認証の要求を受けると、ユーザ認証制御手段１４は、許可付与操作者が高度診療行為に対して実行の許可を付与する権限を有しているかを判断し、許可付与操作者が高度診療行為の実行を許可する権限を有していると判断した場合、許可付与操作者を許可付与権限ユーザとして認証する。
【００１９】
診療行為／分類／許可付与条件ＤＢ１５は、Ｘ線画像診断装置１１を用いて実行できる各種診療行為と、実行権限による各種診療行為の分類と、各種診療行為のうち高度診療行為の許可付与条件とをそれぞれ対応させて予め設定・管理している。許可付与条件としては、例えば、許可付与権限ユーザの区分や、許可付与権限ユーザが実行の許可を付与できる時間を制限する許可付与可能時間等が挙げられる。
【００２０】
実行認証制御手段１６は、実行操作端末１２からの所要の診療行為に関する実行認証の要求に対して認証を行なうか否かの判断を行なう。限定実行権限ユーザが実行操作端末１２を操作して所要の診療行為を行なおうと試みると実行認証制御手段１６は所要の診療行為に関する実行認証を要求される。実行認証制御手段１６は、所要の診療行為に該当する診療行為を、診療行為／分類／許可付与条件ＤＢ１５から検索し、検索された診療行為に対応する分類により所要の診療行為が低度診療行為である場合、限定実行権限ユーザによる所要の診療行為の実行を認証する。一方、検索された診療行為に対応する分類により所要の診療行為が高度診療行為である場合、実行認証制御手段１６は、検索された診療行為の許可付与条件に従って許可付与操作端末１３に実行許可を要求し、その許可付与操作端末１３からの実行許可の有無によって、所要の診療行為の実行を認証するか否かを判断する。
【００２１】
続いて、医用画像診断システム１０における医用画像診断方法について、図２に示されたフローチャートを用いて説明する。
【００２２】
図１に示された医用画像診断システム１０では、予め、診療行為／分類／許可付与条件ＤＢ１５に、Ｘ線画像診断装置１１を用いて実行できる各種診療行為が設定・管理される。また、診療行為／分類／許可付与条件ＤＢ１５では、実行権限から各種診療行為を低度診療行為及び高度診療行為の２段階に分類し、高度診療行為について、高度診療行為毎の許可付与条件が設定・管理される（ステップＳ１）。
【００２３】
図３は、診療行為／分類／許可付与条件ＤＢ１５の一例をテーブルとして示す図である。
【００２４】
図３は、Ｘ線画像診断装置１１を用いて実行することができる各種診療行為と、実行の権限から各種診療行為を２段階に分類した低度診療行為及び高度診療行為と、高度診療行為毎の許可付与条件とを対応させてテーブルとして示したものである。許可付与条件としては、例えば、許可付与権限ユーザの区分や、許可付与権限ユーザが許可を付与できる時間を制限する許可付与可能時間を示す。低度診療行為は限定実行権限ユーザ単独で実行できるので、低度診療行為には許可付与条件を与える必要はない。一方、高度診療行為、例えば「Ｘ線の照射」には、許可付与権限ユーザ「Ａのみ」に「６０秒」の許可付与可能時間を与え、例えば「患者への造影剤の投入」には、許可付与権限ユーザ「Ａ及びＢ」に「３００」秒の許可付与可能時間を与えている。
【００２５】
次いで、図１に示された実行操作端末１２が実行操作者によって操作され、ユーザ認証の要求、例えばユーザＩＤ及びパスワード入力が行なわれる。ユーザＩＤ及びパスワード入力が行なわれると、ユーザ認証制御手段１４では、ユーザＩＤ及びパスワードが適切なものであるか否かが判断される。ユーザＩＤ及びパスワードが適切なものである場合、ユーザ認証制御手段１４では、実行操作者が、特定の診療行為のみを実行できる限定実行権限ユーザとして認証される（ステップＳ２）。ここで、限定実行権限ユーザとは、例えば、研修医や、Ｘ線画像診断装置を用いた診療行為について不慣れな医師や技術士等である。
【００２６】
さらに、許可付与操作端末１３が許可付与操作者によって操作され、ユーザ認証の要求、例えばユーザＩＤ及びパスワード入力が行なわれる。ユーザＩＤ及びパスワード入力が行なわれると、ユーザ認証制御手段１４では、ユーザＩＤ及びパスワードが適切なものであるか否かが判断される。ユーザＩＤ及びパスワードが適切なものである場合、ユーザ認証制御手段１４では、許可付与操作者が所定の権限を有する許可付与権限ユーザとして認証される（ステップＳ３）。ここで、許可付与権限ユーザとは、例えば、限定実行権限ユーザを指導・教育する立場にある医師や技術士等である。
【００２７】
次いで、Ｘ線画像診断装置１０を用いた所要の診療行為を実行したいタイミングで、ステップＳ２で認証された限定実行権限ユーザによって実行操作端末１２が操作され、限定実行権限ユーザが所要の診療行為を実行しようと試みると、実行認証制御手段１６に、Ｘ線画像診断装置１１を用いた所要の診療行為に関する実行認証が要求される（ステップＳ４）。限定実行権限ユーザによって実行操作端末１２が操作されると、実行認証制御手段１６では、限定実行権限ユーザ単独で所要の診療行為を実行できるか否かが判断される（ステップＳ５）。具体的には、実行認証制御手段１６は、診療行為／分類／許可付与条件ＤＢ１５に予め管理されている各種診療行為と、その実行権限から２段階に分類した低度診療行為及び高度診療行為とから、所要の診療行為が低度診療行為であるか又は高度診療行為であるかを判断する。
【００２８】
ステップＳ４で実行認証を要求した所要の診療行為が、例えば画像閲覧であった場合、ステップＳ５の判断において実行認証制御手段１６では、診療行為／分類／許可付与条件ＤＢ１５から画像閲覧は低度診療行為であり、画像閲覧は限定実行権限ユーザ単独で実行できると判断される。よって、限定実行権限ユーザによる実行操作端末１２を用いた画像閲覧に関して実行が認証され（ステップＳ６）、限定実行権限ユーザは、低度診療行為である画像閲覧を即時に実行することができる。
【００２９】
一方、ステップＳ４で実行認証を要求した所要の診療行為が、例えばＸ線の照射であった場合、ステップＳ５の判断において実行認証制御手段１６では、診療行為／分類／許可付与条件ＤＢ１５からＸ線の照射は高度診療行為であり、Ｘ線の照射は限定実行権限ユーザ単独で実行できないと判断される。実行認証制御手段１６は、診療行為／分類／許可付与条件ＤＢ１５からＸ線の照射の許可付与条件を検索し、検索された許可付与条件に従って、ステップＳ３で認証した許可付与権限ユーザに、Ｘ線の照射に関する実行許可が要求される（ステップＳ７）。
【００３０】
許可付与権限ユーザにＸ線の照射の実行許可が要求されると、許可付与操作端末１３では、実行許可が要求されている旨が出力される（ステップＳ８）。実行許可が要求されている旨の出力は、許可付与操作端末１３の画面上への表示や、音声によるものでよい。また、許可付与操作端末１３の画面上に、実行許可の要求の内容を表示することもできる。実行許可の要求の内容としては、例えば、実行許可を要求している診療行為（Ｘ線の照射）及びその許可付与条件や、実行許可を要求している実行操作端末１２及び限定実行権限ユーザのユーザ名等が挙げられる。また、実行許可を要求している診療行為の許可付与条件としての許可付与可能時間は、カウントダウン時間として表示されてもよい。許可付与権限ユーザは、限定実行権限ユーザにＸ線の照射の実行許可を付与する場合、許可付与操作端末１３を操作してＸ線の照射の実行許可を付与する。
【００３１】
実行認証制御手段１６では、実行操作端末１２からＸ線の照射に関する認証許可が要求された時を基準として、予め設定・管理したＸ線の照射の許可付与可能時間（図３にて「６０秒」）内に、許可付与権限ユーザによるＸ線の照射に関する実行許可が付与された否かが判断される（ステップＳ９）。ステップＳ９の判断によりＹｅｓ、すなわち、Ｘ線の照射に関する許可付与可能時間内に、許可付与権限ユーザによる実行許可が付与された場合、実行認証制御手段１６によって限定実行権限ユーザによる実行操作端末１２を用いたＸ線の照射の実行が認証され（ステップＳ１０）、限定実行権限ユーザは、高度診療行為であるＸ線の照射を実行することができる。また、限定実行権限ユーザが、実行認証制御手段１６の認証によって高度診療行為を実行した場合、実行によって取得した画像データ等に、許可付与権限ユーザによって実行が許可された旨を記録するようにしてもよい。
【００３２】
一方、ステップＳ９の判断によりＮｏ、すなわち、Ｘ線の照射の許可付与可能時間内に、許可付与権限ユーザによる実行許可が付与されなかった場合、限定実行権限ユーザによる実行操作端末１２を用いたＸ線の照射の実行が不認証とされる（ステップＳ１１）。
【００３３】
続いて、医用画像診断システム１０における医用画像診断方法の変形例について説明する。
【００３４】
図４は、診療行為／分類／許可付与条件ＤＢ１５の一例をテーブルとして示す図である。
【００３５】
図４は、Ｘ線画像診断装置１１を用いて実行することができる各種診療行為と、実行の権限から各種診療行為を２段階に分類した低度診療行為及び高度診療行為と、高度診療行為毎の許可付与条件とを対応させてテーブルとして示したものである。許可付与条件として、例えば、許可付与権限ユーザの区分や、許可付与権限ユーザが実行をキャンセル（Ｘ線画像診断装置１１の強制終了等）できる時間を制限する実行キャンセル可能時間を示す。低度診療行為は限定実行権限ユーザ単独で実行できるので、低度診療行為には許可付与条件を与える必要はない。一方、高度診療行為、例えば「Ｘ線の照射」には、許可付与権限ユーザ「Ａのみ」に「１８０秒」の実行キャンセル可能時間を与え、例えば「患者への造影剤の投入」には、許可付与権限ユーザ「Ａ又はＢ」に「９００」秒の実行キャンセル可能時間を与えている。
【００３６】
図２に示したフローチャートのステップＳ８における実行許可の要求に対して、図４に示した診療行為／分類／許可付与条件ＤＢ１５の実行キャンセル可能時間内に許可付与権限ユーザが実行キャンセル操作を行なうと、Ｘ線の照射に関して積極的な実行拒否があったものとしてＸ線の照射の実行が不認証となる。一方、実行キャンセル可能時間内に許可付与権限ユーザが実行キャンセル操作を行なわないと、Ｘ線の照射に関する実行許可が暗示されたものとする。
【００３７】
医用画像診断システム１０及び医用画像診断方法によると、患者の安全等に係わり実行の適正が重要視される高度診療行為を実行する場合、その実行の都度、許可付与権限ユーザによる実行許可を受けなければならず、高度診療行為に関してセキュリティ上有効なダブルチェックが行なわれる。よって、撮像装置を用いた診療行為を、診療行為単位で適正に実行することができる。
【図面の簡単な説明】
【００３８】
【図１】本発明に係る医用画像診断システムの実施の形態を示すブロック図。
【図２】本発明に係る医用画像診断方法をフローチャートとして示す図。
【図３】診療行為／分類／許可付与条件ＤＢの一例をテーブルとして示す図。
【図４】診療行為／分類／許可付与条件ＤＢの一例をテーブルとして示す図。
【符号の説明】
【００３９】
１０  医用画像診断システム
１１  Ｘ線画像診断装置
１２  実行操作端末
１３  許可付与操作端末
１４  ユーザ認証制御手段
１５  診療行為／分類／許可付与条件ＤＢ
１６  実行認証制御手段
【図１】
2006254957.tif 000003
【図２】
2006254957.tif 000004
【図３】
2006254957.tif 000005
【図４】
2006254957.tif 000006